(57)【要約】【課題】  電源オフ後の不揮発性表示装置の表示の有無、表示内容及び表示方向を選択できるようにする。【解決手段】  ユーザはユーザ入力手段（８）を使って、電源オフ後に不揮発性表示装置（７）の表示を残すか消去するかを設定する。システム制御装置（６）は、その設定情報をメモリ（１０）に格納する。電源オフ操作があると、システム制御装置（６）はメモリ（１０）から設定情報を読み出し、不揮発性表示装置（７）の表示を制御する。表示を消去する場合、システム制御装置（６）は、不揮発性表示装置（７）の表示を黒画面、白画面又は適当な模様画面に変更する。【選択図】  図１
2009069355.tif 000002
【特許請求の範囲】
【請求項１】
不揮発性表示装置を有する電子機器であって、
電源オフ後に前記不揮発性表示装置の表示を残すか消去するかを設定する設定手段と、
電源オフ操作に従い、前記設定手段で設定された情報に従い、前記不揮発性表示装置の表示を制御する制御手段
とを具備することを特徴とする電子機器。
【請求項２】
前記制御手段は、前記不揮発性表示装置の表示を制御した後に、前記電子機器の電源をオフにすることを特徴とする請求項１に記載の電子機器。
【請求項３】
本体に対して回転可能及び反転可能に連結され、その回転及び反転の位置に従う表示方向で情報を表示する不揮発性表示装置と、
電源オフ後に前記不揮発性表示装置の表示を残すか消去するか、及び表示方向を設定する設定手段と、
電源オフ操作に従い、前記設定手段で設定された情報に従い、前記不揮発性表示装置の表示及び前記表示方向を制御する制御手段
とを具備することを特徴とする電子機器。
【請求項４】
本体に対して回転可能及び反転可能に連結され、その回転及び反転の位置に従う表示方向で情報を表示する不揮発性表示装置と、
電源オフ後に前記不揮発性表示装置の表示を残すか消去するか、並びに、表示を残す場合の表示内容及び表示方向を設定する設定手段と、
電源オフ操作に従い、前記設定手段で設定された情報に従い、前記不揮発性表示装置の表示及び前記表示方向を制御する制御手段
とを具備することを特徴とする電子機器。
【請求項５】
前記制御手段は、前記電源オフ操作の際の前記不揮発性表示装置の表示方向が設定表示方向と一致しない場合に、前記不揮発性表示装置の表示方向を前記設定表示方向に変更することを特徴とする請求項３又は４に記載の電子機器。
【発明の詳細な説明】
【技術分野】
【０００１】
本発明は、電源を切っても表示内容が保持される電子ペーパ等の不揮発性表示装置を有する電子機器に関する。
【背景技術】
【０００２】
従来、携帯電話等の携帯情報端末やカムコーダ等の電子機器の表示装置として、液晶ディスプレイが広く使用されている。しかし、液晶ディスプレイは、表示内容を維持するために電源を供給し続ける必要がある。また液晶ディスプレイは、自発光デバイスではないので、バックライト等の光源を必要とし、多くの電力を消費する。
【０００３】
近年、液晶ディスプレイに代わる表示装置として、電源を切っても表示内容が保持される不揮発性表示装置が注目されている。不揮発性表示装置の代表が、いわゆる電子ペーパであり、種々の方式が研究され、提案されている。
【０００４】
図８は、電気泳動式の電子ペーパの構成を示す。電気泳動式の電子ペーパは、透明なマイクロカプセル８１内にブルーなどの着色液体８２と白色微粒子８３とを入れた構成から成る。電圧を印加することにより、白色微粒子を電気泳動させ、白又は青等をスイッチング表示する。
【０００５】
具体的には、白色粒子には酸化チタンを用いたマイクロカプセル８１をＩＴＯ電極付きのフィルム上にシリコン樹脂をバインダとして塗布する。イオンフロー方式により表面に負電荷パターンを与えると、白色粒子は、マイクロカプセルの下部に移動して表面がブルー表示となる。逆に正電荷を与えると、白色粒子は、マイクロカプセルの上部へ移動して表面が白色表示となる。なお、着色液体８２を青、赤、緑及び黒で構成し、１画素を青、赤、緑及び黒のカプセルで構成することで、カラーを表示できる。
【０００６】
図９は、ツイストボール式の電子ペーパの構成を示す。この電子パーパでは、半球毎に白と黒に塗り分けられた球形微粒子９０の向きを電界により制御することで、白と黒の表示を選択する。粒子表面の白側９１が負、黒側９２が正のシートの表面に負電荷パターンを与えると、粒子が回転して黒半球が上を向き、黒表示となる。逆にシートの表面に正電荷を与えると、白半球が上を向くので白表示となる。青、赤、緑及び黒のボールを用意することで、カラー表示が可能になる。
【０００７】
図１０は、ゲストホスト型液晶に電圧を加えて色素の吸収を変化させる方式の電子ペーパの構成を示す。ＩＴＯ透明電極に液晶１０１、２色性染料１０２及び樹脂の混合物を塗布し、イオンフロー記録により画像を書き込むと、染料が配向して白色の記録が行われる。また、６０°Ｃ以上で加熱すると、元の灰色に戻り、画像を消去できる。始めにコロナ帯電により白色状態にして置き、サーマルヘッドによる熱書込みにより画像を形成することもできる。この場合、２色染料の代わりに青、赤、緑及び黒の染料を使用することで、カラー表示が可能になる。
【０００８】
また、コレステリック液晶と有機感光体複合膜を利用する電子ペーパもある。これは、印加電界に対するコレステリック液晶の特異的な性質を利用して、表示・非表示を制御する。即ち、コレステリック液晶は、無電界ではプレーナ配向となり、液晶の螺旋ピツチに応じた色光を選択反射する。弱い電界では、フォーカルコニック配合となって、光を透過してその状態を保持する。更に強い電界を印加すると、プレーナ配向に戻る。媒体への書込みには、有機光導電膜を積層し、液晶層への分圧を制御する。このデバイスでも、ＲＧＢ層を重ねることによりカラー表示が可能である。
【０００９】
その他、図１１に示すような電子ペーパも提案されている。ＩＴＯ電極１１０を付けた２枚のガラス板の間に色トナー１１２と白色粒子１１１を挟み込んだ構成からなり、電圧を印加して、情報を表示する。
【００１０】
これらの電子ペーパは、電源を切っても静電気の力でそのままの状態を維持する特徴を持つ。そのため、電子ペーパは、無電力で情報をいつまでも表示しつづけることができる。
【００１１】
デジタルカメラに電子ペーパに代表される不揮発性表示装置を使用すると、電源オフ後も、電子ペーパの表示画面に電池残量や撮影可能画像枚数等の情報を表示させることができる。
【特許文献１】特開２００３−２０９７１８号
【発明の開示】
【発明が解決しようとする課題】
【００１２】
不揮発性表示装置を携帯電話等の携帯情報端末やカムコーダ-等の電子機器の表示装置として用いる場合、次のような不都合が生じる。表示内容には、秘密データや他人に知られたくない情報がある。こうした表示したくない情報は、ユーザによって様々であり、不揮発性表示装置で表示する内容をユーザが選択できる必要がある。
【００１３】
また、最近の携帯型電子機器では、電子機器の持ち方によって表示装置の表示方向を自動変更するものがある。例えば、ビデオカメラでも、液晶ディスプレイの画面を背面方向に向けているときと、正面方向に向けているときでは、画像の表示方向が異なる。携帯電話では、垂直に持っているか水平に持っているかを検出し、画像の表示方向を自動変更するものがある。このような表示装置に不揮発性表示装置を使用した場合、不揮発性表示装置の表示方向が、電源オフ時の表示方向としては不適切に方向になってしまうことがある。
【００１４】
本発明は、このような不都合を解消する電子機器を提示することを目的とする。
【課題を解決するための手段】
【００１５】
本発明に係る電子機器は、不揮発性表示装置を有する電子機器であって、電源オフ後に前記不揮発性表示装置の表示を残すか消去するかを設定する設定手段と、電源オフ操作に従い、前記設定手段で設定された情報に従い、前記不揮発性表示装置の表示を制御する制御手段とを具備することを特徴とする。
【００１６】
本発明に係る電子機器は、本体に対して回転可能及び反転可能に連結され、その回転及び反転の位置に従う表示方向で情報を表示する不揮発性表示装置と、電源オフ後に前記不揮発性表示装置の表示を残すか消去するか、及び表示方向を設定する設定手段と、電源オフ操作に従い、前記設定手段で設定された情報に従い、前記不揮発性表示装置の表示及び前記表示方向を制御する制御手段とを具備することを特徴とする。
【００１７】
本発明に係る電子機器は、本体に対して回転可能及び反転可能に連結され、その回転及び反転の位置に従う表示方向で情報を表示する不揮発性表示装置と、電源オフ後に前記不揮発性表示装置の表示を残すか消去するか、並びに、表示を残す場合の表示内容及び表示方向を設定する設定手段と、電源オフ操作に従い、前記設定手段で設定された情報に従い、前記不揮発性表示装置の表示及び前記表示方向を制御する制御手段とを具備することを特徴とする。
【発明の効果】
【００１８】
本発明によれば、電源オフ後に不揮発性表示装置の表示を残すか消去するかを予め設定でき、不要な情報漏洩を防止できる。また、電源オフ後の不揮発性表示装置の表示方向を予め設定しておくことで、電源オフ時の表示方向に関わらず、表示内容を見やすいものにでき、操作性が向上する。
【発明を実施するための最良の形態】
【００１９】
以下、図面を参照して、本発明の実施例を詳細に説明する。
【００２０】
図１は、本発明に係る電子機器の一実施例であるビデオカメラの概略構成ブロック図を示し、図２は、本実施例の外観斜視図を示す。本実施例は、ＤＶＤ−Ｒを記録媒体とするビデオカメラである。
【００２１】
映像音声入力手段１は、撮影レンズ、撮像素子及びマイクからなり、被写体の画像信号と周囲の音声信号を出力する。映像音声処理装置２は、映像音声入力手段１からの映像音声信号を記録用及び表示用に処理し、記録再生ドライブ３及びシステム制御装置６に供給する。記録再生ドライブ３は、映像音声処理装置２からの記録用に処理された映像音声信号を記録媒体４に記録する。システム制御装置６は、映像音声処理装置２からの映像信号を不揮発性表示装置７及び／又は表示装置９に供給し、記録映像を表示させる。不揮発性表示装置７及び／又は表示装置９はファインダとして使用される。
【００２２】
不揮発性表示装置７は、動画静止画ともに表示可能な電子ペーパと、電子ペーパを駆動するドライバＩＣからなる。図２に示すように、不揮発性表示装置７は、２軸ヒンジ機構を介して本体に対して回転可能及び反転可能に連結され、本体の側面から回転して、背面方向に表示画面を向けることができる。不揮発性表示装置７はまた、カメラの正面方向にも、その表示画面を向けることができる。表示装置９は、液晶パネル、液晶パネルを駆動するドライバＩＣ及びバックライト光源からなる電子ビューファインダである。
【００２３】
記録再生ドライブ３はまた、指定された映像音声信号を記録媒体４から再生し、映像音声処理装置２に供給する。映像音声処理装置２は、記録再生ドライブ３で再生された映像音声信号を表示用に処理して、システム制御装置６に供給する。システム制御装置６は、映像音声処理装置２からの再生映像信号を不揮発性表示装置７及び／又は表示装置９に供給し、再生映像を表示させる。不揮発性表示装置７及び／又は表示装置９は、再生映像のモニタとして使用される。
【００２４】
記録媒体４は、例えば、ＤＶＤ−Ｒからなる。記録再生ドライブ３は、記録媒体４をファイナライズする機能を持つ。記録再生ドライブ３は、ディスク着脱機構を具備し、記録媒体４を交換可能である。
【００２５】
ユーザは、ユーザ入力手段８により、システム制御装置６に種々の動作を指示できる。ユーザ入力手段８は、電源のオンオフを行う電源スイッチ、再生モードと記録モードを切り替えるモードスイッチ、記録又は再生の開始と終了を操作するボタン等を具備する。ユーザが電源スイッチをオンすることにより、本実施例のビデオカメラが動作状態となる。ビデオカメラの動作時に、電池５が必要な電力を各部に供給する。
【００２６】
不揮発性表示装置７は、動画及び静止画を表示可能である。システム制御装置６は、使用上の設定値（例えば、不揮発性表示装置７で表示する情報、又は表示しない情報等）をメモリ１０に格納する。
【００２７】
本実施例の基本的な動作を説明する。撮影時、映像音声入力手段１は、被写体および周囲の映像信号と音声信号を映像音声処理装置２に出力する。映像音声処理装置２は、映像音声入力手段１からの映像信号および音声信号を記録用に処理し、記録再生ドライブ３に供給する。映像音声処理装置２の処理内容には、映像音声信号の圧縮処理が含まれる。記録再生ドライブ３は、映像音声処理装置２からの映像音声信号、より具体的には圧縮された映像音声データを記録媒体４に記録する。
【００２８】
映像音声処理装置２はまた、映像音声入力手段１からの映像信号を表示用に処理し、システム制御装置６に供給する。システム制御装置６は、映像音声処理装置２からの映像信号を不揮発性表示装置７及び／又は表示装置９に供給する。即ち、不揮発性表示装置７及び／又は表示装置９をファインダとして使用する。不揮発性表示装置７と表示装置９の両方を使用するか、どちらか一方を使用するかは、予めユーザ入力手段８を使って、ユーザが指定できる。
【００２９】
再生時には、記録再生ドライブ３は、記録媒体４から指定された映像音声情報を再生し、映像音声処理装置２に供給する。映像音声処理装置２は、記録再生ドライブ３からの圧縮された映像音声データを伸長して映像信号を再生し、再生映像信号をシステム制御装置６に供給する。システム制御装置６は、映像音声処理装置２からの再生映像信号を不揮発性表示装置７及び／又は表示装置９に供給する。即ち、不揮発性表示装置７及び／又は表示装置９を再生映像のモニタとして使用する。不揮発性表示装置７と表示装置９の両方を使用するか、どちらか一方を使用するかは、予めユーザ入力手段８を使って、ユーザが指定できる。表示装置９がスピーカを具備する場合、再生音声も、このスピーカから出力できる。
【００３０】
次に、撮影時における不揮発性表示装置７の配置に対する表示方向の変化を説明する。図３は、不揮発性表示装置７の表示画面を背面方向に向けた通常撮影時の外観図（ａ）と、不揮発性表示装置７の表示画面例（ｂ）を示す。撮影者が不揮発性表示装置７の画面を見ながら撮影する。この撮影形態が最も一般的であるので、このときの不揮発性表示装置７の表示方向を正常方向とする。図３では、不揮発性表示装置７の表示方向を分かりやすくするため、不揮発性表示装置７の下側に黒丸を付記した。
【００３１】
図４は、対面撮影時の外観図（ａ）と、不揮発性表示装置７の表示画面例（ｂ）を示す。これは、撮影者が自身を撮影する場合に使用される撮影形態であり、不揮発性表示装置７の表示画面は、正面に向けられている。不揮発性表示装置７が上下反転されているので、画像は、上下反転して表示される。
【００３２】
図５は、不揮発性表示装置７の表示画面を外側に向けた状態で本体に密接に収納した反転収納状態での外観図（ａ）と、不揮発性表示装置７の表示画面例（ｂ）を示す。これは、専ら、再生映像の視聴の際に採用される。このとき、不揮発性表示装置７の表示方向は、正常方向に対して、上下左右が反転している。
オ
【００３３】
図６は、不揮発性表示装置７の表示画面を本体側（内側）に向けた状態で本体に密接に収納した通常収納状態での外観図を示す。この状態では、不揮発性表示装置７の電源はオフにされ、表示装置９は電源を供給された状態にある。本明細書では、不揮発性表示装置７の電源がオフで、表示装置９の電源がオンの状態をＣＶＦモードと呼び、不揮発性表示装置７の電源がオフの状態をパネルモードと呼ぶ。
【００３４】
このように、不揮発性表示装置７は、本体に対する回転及び反転の位置に従う表示方向で情報を表示する。
【００３５】
図７は、本実施例の特徴的な動作の制御フローチャートを示す。ユーザは先ず、不揮発性表示装置７の利用法と表示形態を表示メニューに従い設定する（Ｓ１）。具体的には、本体電源オフの後に不揮発性表示装置７に表示を残すか消去するかを設定する。表示を残す場合の表示内容は、デフォルトでは、バッテリ残量、メディア残量、最終記録映像及び最終記録日時であるが、これら及びその他の情報内で、どの情報を表示するかを設定する。また、表示方向を、「正常」、「上下反転」及び「上下左右反転」から選択する。ユーザは、電源オフ後の不揮発性表示装置７の収納状態を考慮して、表示方向を決定すれば良い。例えば、電源オフの後に不揮発性表示装置７を反転収納する場合には、表示方向の「上下左右反転」を選択する。電源オフの後に不揮発性表示装置７を通常収納し、表示を確認したいときに、表示画面を背面に向ける場合には、「正常」を選択する。システム制御装置６は、設定又は選択された内容をメモリ１０に保存する。
【００３６】
適当に使用した後、ユーザがユーザ入力手段８の電源スイッチにより本体の電源をオフにする電源オフ操作をしたとする（Ｓ２）。システム制御装置６は、メモリ１０に記憶される不揮発性表示装置７の表示設定を確認する（Ｓ３）。表示を消去する設定になっている場合（Ｓ３）、システム制御装置６は、不揮発性表示装置７の画面全体を無表示の画面、例えば、黒画面、白画面、又は適当な背景画面で更新し（Ｓ４）、本体の電源を実際にオフにする（Ｓ１０）。
【００３７】
不揮発性表示装置７の表示を残す設定の場合（Ｓ３）、ＣＶＴモードとパネルモードのどちらの動作モードで動作しているかを調べる（Ｓ５）。ＣＶＴモードの場合には（Ｓ５）、不揮発性表示装置７を表示オンにする（Ｓ６）。パネルモードの場合、既に不揮発性表示装置７を表示オンになっているので、ステップＳ６の処理は不要である。
【００３８】
ステップＳ５又はＳ６の後、メモリ１０に設定されている表示方向（設定表示方向）と現在の表示方向を比較する（Ｓ７）。不一致の場合（Ｓ７）、不揮発性表示装置７の表示方向を設定表示方向に変更し、メモリ１０に設定されている表示内容（設定表示内容）を表示する（Ｓ８）。一致の場合（Ｓ７）、不揮発性表示装置７に設定表示内容を表示する（Ｓ９）。ステップＳ８，Ｓ９の後、本体の電源をオフにする。
【００３９】
本実施例によれば、本体電源をオフにした後に不揮発性表示装置７の表示を残すか消去するかを選択できる。表示を残す場合も、予め、表示内容を設定でき、表示方向を設定できる。これにより、情報漏洩を防止しつつ、電源オフ状態で希望の情報を表示させることが可能になる。
【図面の簡単な説明】
【００４０】
【図１】本発明の一実施例の概略構成ブロック図である。
【図２】本実施例の外観斜視図である。
【図３】通常撮影時の外観図（ａ）と、不揮発性表示装置７の表示画面例（ｂ）である。
【図４】対面撮影時の外観図（ａ）と、不揮発性表示装置７の表示画面例（ｂ）である。
【図５】不揮発性表示装置７の反転収納状態での外観図（ａ）と、不揮発性表示装置７の表示画面例（ｂ）である。
【図６】不揮発性表示装置７の通常収納状態での外観図である。
【図７】本実施例の特徴的な動作の制御フローチャートである。
【図８】電気泳動方式の電子ペーパの構成図である。
【図９】ツイストボール方式の電子ペーパの構成図である。
【図１０】液晶/２色染料混入方式の電子ペーパの構成図である。
【図１１】トナーディスプレイ方式の電子ペーパの構成図である。
【符号の説明】
【００４１】
１：映像音声入力手段
２：映像音声処理装置
３：記録再生ドライブ装置
４：記録媒体
５：電池
６：システム制御装置
７：不揮発性表示装置
８：ユーザ入力手段
９：表示装置
１０：メモリ
【図１】
2009069355.tif 000003
【図２】
2009069355.tif 000004
【図３】
2009069355.tif 000005
【図４】
2009069355.tif 000006
【図５】
2009069355.tif 000007
【図６】
2009069355.tif 000008
【図７】
2009069355.tif 000009
【図８】
2009069355.tif 000010
【図９】
2009069355.tif 000011
【図１０】
2009069355.tif 000012
【図１１】
2009069355.tif 000013